(57)【要約】【課題】  ドアに広告を掲載して、その広告料収入を得ることによって、ドアそのものの価値を高めることができるドア広告管理方法ならびにドア広告管理システムを実現することを課題とする。【解決手段】  ドアに広告を掲載するための情報を処理すると共にドア所有者に還元するドア広告還元金を算定するドア広告管理方法であって、広告ドアとする広告ドア登録段階と、前記広告ドアに掲載する広告の募集を表示するドア広告募集表示段階と、広告ドアの空き状況を表示するドア広告照会段階と、前記広告ドアに広告を掲載することを登録するドア広告登録段階と、前記ドア所有者へ還元するドア広告還元金を算出する広告還元金算出段階とを含むドア広告管理方法である。【選択図】図１
2011133931.tif 000002
【特許請求の範囲】
【請求項１】
ドアに広告を掲載するための情報を処理すると共にドア所有者に還元するドア広告還元金を算定するドア広告管理方法であって、
ドア所有者が申し込むドア広告の対象とするドアを登録し広告ドアとする広告ドア登録段階と、
前記広告ドアに掲載する広告の募集を表示するドア広告募集表示段階と、
前記ドア広告募集の表示に応募した者の入力情報に応じて該当する広告ドアの空き状況を表示するドア広告照会段階と、
前記広告ドアに広告を掲載することを登録するドア広告登録段階と、
前記ドア所有者へ還元するドア広告還元金を算出する広告還元金算出段階と、
を含んでなることを特徴とするドア広告管理方法。
【請求項２】
前記広告ドアは、前記ドア製造・販売会社が直接販売したドア、あるいは、ドア広告管理会社が前記ドア製造・販売会社から管理を委託されたドアであることを特徴とする請求項１に記載のドア広告管理方法。
【請求項３】
前記広告ドアが、スイングドアであることを特徴とする請求項１ないし２のいずれか一つに記載のドア広告管理方法。
【請求項４】
ドアに広告を掲載するための情報を処理すると共にドア所有者に還元するドア広告還元金を算定するドア広告管理システムであって、
ドア所有者が申し込むドア広告の対象とするドアを登録し広告ドアとする広告ドア登録手段と、
前記広告ドアに掲載する広告の募集を表示するドア広告募集表示手段と、
前記ドア広告募集の表示に応募した者の入力情報に応じて該当する広告ドアの空き状況を表示するドア広告照会手段と、
前記広告ドアに広告を掲載することを登録するドア広告登録手段と、
前記ドア所有者へ還元するドア広告還元金を算出する広告還元金算出手段と、
を含んでなることを特徴とするドア広告管理システム。
【請求項５】
前記広告ドアは、前記ドア製造・販売会社が直接販売したドア、あるいは、ドア広告管理会社が前記ドア製造・販売会社から管理を委託されたドアであることを特徴とする請求項４に記載のドア広告管理システム。
【請求項６】
前記広告ドアが、スイングドアであることを特徴とする請求項４ないし５のいずれかに記載のドア広告管理システム。
【発明の詳細な説明】
【技術分野】
【０００１】
本発明は、店舗や商店のドアに広告を掲載し、その広告料収入をドア所有者へ還元するドア広告管理方法及びそのドア広告管理システムに関する分野である。
さらに具体的には、新規販売あるいは更新販売したスイングドアに、広告主あるいは広告代理店からの広告依頼に基づき、スイングドアに広告を掲載し、その広告料の徴収に見合った収入を、ドア所有者である店舗オーナーに還元するドア広告管理方法及びそのドア広告管理システムに関する。
なお、「スイングドア」とは、ヒンジ（蝶番）を軸にドアパネルが前後両方向に回動開閉するドアのことを称する。スーパーマーケットなどの商店や工場、病院等において、開口部を遮断する建具として使用される。一般のドアにおいてはドアノブやドア取っ手を回した後ドアを開くことができるが、スイングドアにおいてはドアパネルを手あるいは台車などで押してそのまま開くことができ、その後ドアパネルは自動的に閉鎖されるのが特徴である。
【背景技術】
【０００２】
ドアはその用途により各種の形態が存在するものであるが、空間の間仕切り装置、あるいは、通路の開閉装置であるドア本来の目的に沿った利用がほとんどであり、広告媒体あるいは情報伝達媒体としての利用は、各種催し物のビラを貼る、あるいは、社内伝達のメモを貼り付ける程度の利用しかなされていない。すなわち、ドアの扉面を広告媒体あるいは情報伝達媒体として利用することにより、新たな付加価値を生むという観点からの利用はされていないのが現状である。すなわち、空間の間仕切り機能、あるいは、通路の開閉機能を実現するためのドアが存在するのみで、広告媒体あるいは情報伝達媒体として付加価値を生むものとして、ドアは認識されておらず、従って、広告媒体あるいは情報媒体として、ドアに対して設備投資するという発想は行われなかった。
【０００３】
従来、広告を行うという観点からは、プロジェクタを使用してスクリーンあるいは壁に広告等を投影する方法（特許文献１）、展示商品の近傍にテレビモニタによって広告を表示する方法（特許文献２）、あるいは、商品の近傍に透明ディスプレイの広告表示部を設け商品に関する広告情報を表示可能にし音声と動画を連動させて広告表示する方法（特許文献３、特許文献４）等が知られている。これらはいずれも広告の表示方法に関するものに過ぎず、ドアを広告媒体あるいは情報伝達媒体として積極的に活用し、ドアへ広告を掲載することによってドアから広告料等の収入を得る、すなわち、付加価値を生むドアを実現するための方法、あるいは、それを実現したシステムは提案されていない。
【先行技術文献】
【特許文献】
【０００４】
【特許文献１】特開２００８−１７１５８０号公報
【特許文献２】特開２００６−１０７８２９号公報
【特許文献３】特開２００１−３２２２０４号公報
【特許文献４】特開２００６−０９４７１７号公報
【発明の概要】
【発明が解決しようとする課題】
【０００５】
本発明は、前記背景技術の問題点に鑑み、空間の間仕切り機能、あるいは、通路の開閉機能というドア本来の機能に追加して、ドアに広告媒体あるいは情報伝達媒体としての機能を持たせることにより、広告料等の収入を得ることができる、すなわち、付加価値を生むドアを実現するためのドア広告管理方法、ならびに、ドア広告管理システムを提供することを課題とする。
以下の説明において、
「広告ドア」とは広告媒体あるいは情報伝達媒体としての機能を持つドアを意味する。
「広告ドア登録」とは、かかる機能を有するドアとして利用するため、ドアを登録することを意味する。
「ドア広告」とは「広告ドア」によって掲示される「広告」「情報」自体、あるいは、「広告ドア」によって広告あるいは情報提供をすることを意味するものである。
「ドア広告登録」とは、「広告ドア」に「広告」あるいは「情報」を登録することを意味する。
【課題を解決するための手段】
【０００６】
本発明の第１の発明は、
ドアに広告を掲載するための情報を処理すると共にドア所有者に還元するドア広告還元金を算定するドア広告管理方法であって、
ドア所有者が申し込むドア広告の対象とするドアを登録し広告ドアとする広告ドア登録段階と、
前記広告ドアに掲載する広告の募集を表示するドア広告募集表示段階と、
前記ドア広告募集の表示に応募した者の入力情報に応じて該当する広告ドアの空き状況を表示するドア広告照会段階と、
前記広告ドアに広告を掲載することを登録するドア広告登録段階と、
前記ドア所有者へ還元するドア広告還元金を算出する広告還元金算出段階と、
を含んでなることを特徴とするドア広告管理方法である。
【０００７】
第２の発明は、第１の発明に付加して、前記広告ドアは、前記ドア製造・販売会社が直接販売したドア、あるいは、ドア広告管理会社が前記ドア製造・販売会社から管理を委託されたドアであることを特徴とするドア広告管理方法である。
【０００８】
第３の発明は、第１ないし第２の発明のいずれか一つの発明に付加して、前記広告ドアが、スイングドアであることを特徴とするドア広告管理方法である。
【０００９】
第４の発明は、ドアに広告を掲載するための情報を処理すると共にドア所有者に還元するドア広告還元金を算定するドア広告管理システムであって、
ドア所有者が申し込むドア広告の対象とするドアを登録し広告ドアとする広告ドア登録手段と、
前記広告ドアに掲載する広告の募集を表示するドア広告募集表示手段と、
前記ドア広告募集の表示に応募した者の入力情報に応じて該当する広告ドアの空き状況を表示するドア広告照会手段と、
前記広告ドアに広告を掲載することを登録するドア広告登録手段と、
前記ドア所有者へ還元するドア広告還元金を算出する広告還元金算出手段と、
を含んでなることを特徴とするドア広告管理システムである。
【００１０】
第５の発明は、第４の発明に付加して、前記広告ドアは、前記ドア製造・販売会社が直接販売したドア、あるいは、ドア広告管理会社が前記ドア製造・販売会社から管理を委託されたドアであることを特徴とするドア広告管理システムである。
【００１１】
第６の発明は、第４ないし第５の発明のいずれか一つの発明に付加して、前記広告ドアが、スイングドアであることを特徴とするドア広告管理システムである。
【発明の効果】
【００１２】
本発明により、ドアに広告等の情報を掲示することによって、空間の間仕切り装置、あるいは、通路の開閉装置であるドア本来の機能に、広告媒体あるいは情報伝達媒体としての機能を付加することができ、ドアの機能を格段に拡大することが可能となる。それに伴い、ドアに関連する各事業者は、本発明を利用することによって、広告・情報伝達等の幅広い効果を達成することが可能となる。関連する事業者毎に、本発明によって得られる効果を以下に記述する。
【００１３】
ドアの所有者でありかつ管理者である店舗オーナーにおいては、
（１）従来のドアは、空間の間仕切り装置、あるいは、通路の開閉装置としての機能しか有しなかったが、ドアに広告等を掲載し、広告媒体あるいは情報伝達媒体として利用することによって、広告還元金を収入として得ることができる。
（２）上記（１）においては、ドア広告の広告代理店による受注活動により、店舗オーナーが手をわずらわすことなく、広告還元金の収入を得ることができる。
（３）広告還元金の収入として得ることによって、ドアに対しての投資を拡大し、高機能・高品質のドア設置が可能となる。たとえば、広告還元金を充当することによりドアの設置費用を早期に回収することが可能となったり、あるいは、広告還元金の受領を見込んで、高機能・高品質のドアを設置したりすることが可能となる。
（４）ドア広告管理システムに登録することによって、ドアの存在、あるいは、当該ドアが存在する店舗自体をＰＲすることが可能となる。
（５）ドアに広告機能あるいは情報伝達機能を持たせることによって、店舗内におけるドアのイメージを一新させ、店舗イメージを向上させるだけでなく、顧客吸引力を増加させることが可能となる。
【００１４】
広告あるいは情報を提供する事業者（以下、広告主という）及び広告代理店においては、
（６）ドア広告管理システムによって、広告用のドアの受注の空き具合を一目で確認することができ、広告場所を探す手間が省略することができ、効率的なドア広告を行うことが可能となる。
（７）店舗内のドアを広告媒体あるいは情報伝達媒体として使用することにより、従来にない新たな広告エリア・情報伝達エリアを確保することができる。
（８）ドアは開閉動作を行うものであるので、従来にはない、開閉動作を利用した動く広告媒体・情報伝達媒体として幅広い広告等を行うことが可能となる。
（９）ドアを設置した店舗内の周辺状況（ドアの近傍にどのような商品が陳列されているかなど）に関する情報を、ドア広告管理システムから入手することができるようになり、広告対象の物品と関連付けした、効果的な広告を行うことが可能となる。
【００１５】
ドアを製造・販売する事業者及びドア広告を管理する事業者においては、
（１０）ドア広告を行うことによって、広告還元金を収入として店舗オーナーへ支払うことによって、店舗オーナー側へドア設置へのインセンティブを与えることができ、高機能あるいは高価格のドア設置が容易となる。もって、ドアの製造・販売の拡大を図ることができる。
（１１）ドア製造・販売からドアの広告販売までを一貫して管理することによって、店舗オーナーいわゆるドア所有者へのきめ細かなサービス体制を構築することができ、他のドア製造事業者と差別化したドア製造・販売体制を構築することができる。
（１２）ドアを広告媒体あるいは情報伝達媒体として利用することにより、広告あるいは有料情報の売り上げを得ることができる。
【００１６】
以上のように、ドア広告管理方法ならびにドア広告管理システムを実施することによって、ドア広告にかかわる三者、すなわち、ドアの所有者・管理者たる店舗オーナー、広告主及び広告代理店、並びに、ドアを製造・販売する事業者及びドア広告を管理する事業者が、正に三方徳の関係で、等しく利益を享受することが可能となる。
【図面の簡単な説明】
【００１７】
【図１】ドア広告管理システムの全体システム構成図の一実施例を示す
【図２】ドア広告管理システムの処理手順の一実施例を示す処理フローチャートである。
【図３】広告の対象となる広告ドアのドア広告管理システムへの登録処理手順の一実施例を示すフローチャートである。
【図４】ドア広告を募集する画面の一実施例を示す。
【図５】ドア広告予約の処理手順の一実施例を示す処理フローチャートである。
【図６】ドア広告の予約を行う広告ドア照会画面の一実施例を示す。
【図７】ドア広告の予約を行うドア広告予約入力画面の一実施例を示す。
【図８】ドア広告の広告還元金の還元処理手順の一実施例を示す処理フローチャートである。
【図９】店舗オーナーマスタの一実施例を示す図である。
【図１０】ドア受注マスタの一実施例を示す図である。
【図１１】受注状況マスタの一実施例を示す図である。
【図１２】スイングドアにドア広告を掲示した一実施例を示す図である。
【図１３】フィルムディスプレイを使用した動画広告の処理手順の一実施例を示す処理フローチャートである。
【図１４】スイングドアに、フィルムディスプレイによるドア広告を掲載した一実施例を示す図である。
【発明を実施するための形態】
【００１８】
本発明のドア広告管理方法は、
ドアに広告を掲載するための情報を処理すると共にドア所有者に還元するドア広告還元金を算定するドア広告管理方法であって、
ドア所有者が申し込むドア広告の対象とするドアを登録し広告ドアとする広告ドア登録段階と、
前記広告ドアに掲載する広告の募集を表示するドア広告募集表示段階と、
前記ドア広告募集の表示に応募した者の入力情報に応じて該当する広告ドアの空き状況を表示するドア広告照会段階と、
前記広告ドアに広告を掲載することを登録するドア広告登録段階と、
前記ドア所有者へ還元するドア広告還元金を算出する広告還元金算出段階と、
から成り、
一方、本発明のドア広告管理システムは、
ドアに広告を掲載するための情報を処理すると共にドア所有者に還元するドア広告還元金を算定するドア広告管理システムであって、
ドア所有者が申し込むドア広告の対象とするドアを登録し広告ドアとする広告ドア登録手段と、
前記広告ドアに掲載する広告の募集を表示するドア広告募集表示手段と、
前記ドア広告募集の表示に応募した者の入力情報に応じて該当する広告ドアの空き状況を表示するドア広告照会手段と、
前記広告ドアに広告を掲載することを登録するドア広告登録手段と、
前記ドア所有者へ還元するドア広告還元金を算出する広告還元金算出手段と、
で構成されている。
【００１９】
その具体的な関連を図１により、システムならびに人が介在しての処理を全体の流れとして説明する。
まず、ドア製造・販売会社６が販売したドアを店舗オーナー７の店舗へ、「Ａ．広告ドアの設置」、あるいは、「Ａ’．一般ドアから広告ドアへのリプレース」を行う。
なお、前記「ドア製造・販売会社６が販売したドア」には、ドア製造・販売会社６が販売しその後店舗オーナー７が所有する一般的な場合に限られるものではなく、ドア製造・販売会社６が販売しその後リースあるいはレンタル契約によって店舗オーナー７以外の者がドアを所有する場合も含むものである。具体的には、広告ドアをリース販売することにより、リース会社が広告ドアを所有する場合なども含まれる。
新たに設置あるいはリプレースした広告ドアについて、店舗オーナー７との間で、ドア広告を行うか否かの交渉を行い、ドア広告を行うことで成約した場合に、該当する広告ドアについての「Ｂ．広告スペースの利用許諾契約」を、店舗オーナー７とドア製造・販売会社６との間で取り交わす。
「Ｂ．広告スペースの利用許諾契約」に基づき、ドア広告管理会社５（ドア製造・販売会社６からドア広告管理を委託された会社である、あるいは、ドア製造・販売会社６が直接行うこともできる）が、ドア広告内容に関する契約内容、すなわち、「店舗オーナー名、店舗・ビル名、フロア、ドア名称、ドア面積、ドア寸法、広告表示方法（固定広告あるいは動画広告）、周辺情報、単位期間当り広告料、広告料還元率、等々」を、ドア広告管理システム１の広告ドア登録手段３ａにより、店舗オーナーマスタＭ１として登録する。
【００２０】
その広告ドア登録情報を、ドア広告管理システム１の広告募集表示手段３ｂによってネットワーク上に掲載し、広告代理店９に対して、「Ｃ．広告主の募集依頼」を行う。
広告代理店９では、ドア広告管理システム１上の受注状況マスタＭ３の検索ならびにドア広告照会手段３ｃを利用することで、広告ドアの空き状況を確認し、必要なドア広告に該当する案件を検索して、具体的なドア広告の実施、可否を判断し、ドア広告を行う場合には、同様のドア広告登録手段３ｄによって、ドア広告登録を行う。
ドア広告登録されたものは、ドア広告管理システム１のドア受注マスタＭ２へ登録し、現在のドア広告受注状況ならびにドア広告の空き状況を更新し、その後、現時点のドア広告状況を反映したデータベース４とする。
その後、ドア広告予約された案件ならびにドア広告内容については、広告代理店９からの「Ｄ．広告作成依頼」に基づき、ドア広告管理会社５あるいはドア製造・販売会社６において、広告媒体に応じたドア広告１０を作成し、前記作成されたドア広告１０を、対象となる広告ドアへ掲示する。
【００２１】
ドア広告が完了した段階では、広告代理店９からドア広告管理会社５に対して、「Ｅ．広告手数料」が支払われ、その結果を、ドア広告管理システム１の広告料徴収登録手段３ｅへ入力し、広告還元金演算登録手段３ｆによって、店舗オーナー７への広告料に見合う還元金を演算、登録し、その演算、登録結果を基に、店舗オーナー７へ還元金の支払いを行う。
広告の当事者は、広告代理店９として説明したが、広告主８が直接行うこともでき、その場合には、図の破線で示す「Ｃ’.広告主の募集依頼」「Ｄ’.広告作成依頼」「Ｇ’.広告料」とする。
なお、ドア広告還元金は、ドア広告が完了した段階すなわち後払いに限るものではなく、ドア広告の利用許諾契約を締結後その内容によりドア広告が決まった段階すなわち先払いしても差し支えない。
【００２２】
ここで、ドア広告管理システム１は、ドア広告管理サーバ２と、３ａ〜３ｇの各種処理手段を格納した制御手段３、さらには、Ｍ１〜Ｍ３のマスタを格納したデータベース４により構成する。ドア広告管理サーバ２に関する操作機器、広告代理店９および広告主８でのＰＣについても、処理装置、表示装置、キーボード、マウス等を接続し、インターネットに接続できるとともにインターネット上のウェブページで情報共有できる機器構成を採用する。
【実施例１】
【００２３】
実施例１として、ドア広告管理システム１の関連する処理手順を、システム面を中心に、図２を基に説明する。なお、図中の二重枠は人が介在しての処理であるが、全体の流れを明確にするために記載する。
ステップＳ１として、店舗オーナー７からのオーダーによって、「Ａ．広告ドアの設置」、あるいは、一般ドアから「Ａ’．広告ドアのリプレース」を行う広告ドア販売、設置を行う（人が介在しての処理）。
ステップＳ２として、新たに設置あるいはリプレースされたドアを広告ドアとして利用する契約を店舗オーナー７と取り交わす広告ドア（広告スペース）の利用許諾契約を行う。
ここでは、該当するドアの詳細仕様、ならびに利用許諾に関する広告料、広告還元金の還元率等を決定する（人が介在しての処理）。
ステップＳ３として、ステップＳ２の契約内容に基づいて、ドア広告管理サーバ２のキーボード等から入力された広告ドアの細部情報を広告ドア情報として、ドア広告管理システム１の店舗オーナーマスタＭ１へ、広告ドア登録手段３ａによって登録する。
ステップＳ４として、インターネットを介して、広告募集表示手段３ｂによって、ドア広告の紹介およびその概要について、インターネットに接続したユーザーのＰＣ画面あるいは携帯電話の画面等に表示し、広告ドア募集のＰＲを行う。
ステップＳ５として、広告募集表示手段３ｂに連動する動きで、かつ、マン−マシンコミュニケーション形式となるが、ドア広告照会手段３cによって、ドア広告の希望項目の入力情報に対応し、希望するドア広告に該当するドア広告対象の検索と、広告ドアの空き状況等を表示する。
ステップＳ６として、前記広告ドアの空き状況等を表示の内容に希望する広告ドアがある場合において、広告代理店９あるいは広告主８によって広告募集表示手段３ｂに入力された情報を、ドア広告登録情報として、ドア広告管理システム１へ記録される。広告代理店９あるいは広告主８の希望に合致しない場合には、広告代理店９あるいは広告主８は、“相談に応じて欲しい”等のメッセージをドア広告登録情報の一部として入力する。この入力情報も、ドア広告管理システム１はドア広告登録情報として記録される。このとき、ドア広告登録情報は、ドア受注マスタＭ２への登録と、その結果の受注状況を、その都度、受注状況マスタＭ３として更新する。
ステップＳ７として、ドア広告登録に対して、具体的にどのような広告を行うかを、広告代理店９とドア広告管理会社５との間で打合せを行い、詳細な広告内容の決定と、その掲示するドア広告１０の作成を行う（人が介在しての処理）。
ステップＳ８として、ステップＳ７で作成されたドア広告１０を、上記広告ドア利用許諾契約によって決定されたドアへの広告掲示を実施する（人が介在しての処理）。後述のフィルムディスプレイを用いる場合には、人が介在することなく広告掲示を実現することができる。
ステップＳ９として、ステップＳ８までで行ったドア広告に対する広告料について、広告代理店９から徴収した広告料の入力情報に基づき、広告料徴収登録手段３ｅによって徴収した広告料の取込みを行い、広告料徴収情報として登録を行う。広告料を具体的に徴収・受領する方法は銀行振込などの方法による。
ステップＳ１０として、ステップＳ９において広告料徴収情報として登録された広告料に対して、広告ドア（広告スペース）利用許諾契約によって入力されている広告ドア登録情報を基に、広告料還元金演算登録手段３ｆによって、ドア広告料に対する還元金を演算し、店舗オーナー毎に集計計算を行いワークファイルへの登録ならびに資料ベースの出力を行う。この出力情報を基に、店舗オーナーに対して所定期間ごとに広告料の還元を行う。これらのうち、「広告ドアの登録手段（段階）」、「ドア広告の募集表示手段（段階）」、「ドア広告の登録手段（段階）」ならびに「ドア広告の広告還元金還元手段（段階）」について、以下詳述する。
【００２４】
〔広告ドア登録手段（段階）〕
広告ドア登録手段の処理手順フローチャートを図３に示す。
Ｓ３−１で、本手段の初期設定を行い、Ｓ３−２において、広告ドア利用許諾契約に定めた内容について、ドア広告管理サーバ２のキーボード等からの入力情報、いわゆる「店舗オーナー」「店舗・ビル名」「フロア」「ドア名称」を基本情報として、ドア広告管理システム１に取り込む。
Ｓ３−３において、前記取り込まれた基本情報を基に、前記店舗オーナーマスタＭ１の照会を行い、該当する広告ドア案件の抽出を行う。
Ｓ３−４において、前記取り込まれた基本情報が、店舗オーナーマスタに既に登録されている案件か（ＹＥＳ）、店舗オーナーマスタに登録されていない、新規に登録する案件か（ＮＯ）の判定を行い、（ＹＥＳ）の場合には、後述のＳ３−６処理を行う。（ＮＯ）の場合には、Ｓ３−５として、広告ドアの新規入力情報として、「ドア名称」「面積」「寸法」「広告表示方法（固定広告あるいは動画広告）」「周辺情報」「単位期間当り広告料」「広告料還元率」等をドア広告管理システム１に取り込み、Ｓ３−７において、ドア広告管理システム１の店舗オーナーマスタＭ１に登録する。また、ドア受注マスタＭ２へも同様の登録を行うものとする。
（ＹＥＳ）の場合のＳ３−６としては、「ドア名称」「面積」「寸法」「広告表示方法（固定広告あるいは動画広告）」「周辺情報」「単位期間当り広告料」「広告料還元率」等のうちの変更情報をドア広告管理システム１に取込み、Ｓ３−７において、ドア広告管理システム１の店舗オーナーマスタＭ１を更新する。また、ドア受注マスタＭ２へも同様の登録を行うものとする。
【００２５】
図９に、店舗オーナーマスタＭ１の一例を判り易いように帳票形式で示すが、基本情報として、「店舗オーナー」「店舗・ビル名」「フロア」、ドア固有情報として、「ドア名称」「面積」「寸法」「広告表示方法（固定広告あるいは動画広告）」「周辺情報」「単位期間当りの広告料」「広告料還元率」「所在地情報」で構成するが、必要に応じて変更することもできる。
図１０に、ドア受注マスタＭ２の一例を判り易いように帳票形式で示すが、広告受注情報として、「広告代理店」「広告主」「広告開始」「広告終了」「広告期間」とし、ドア情報として、前記店舗オーナーマスタＭ１とのリンクを持つための情報として、「店舗オーナー」「店舗・ビル名」「フロア」「ドア名称（区画符号）」「広告表示方法（固定広告あるいは動画広告）」を持ったデータ構成であるが、必要に応じて変更することもできる。
【００２６】
〔ドア広告募集表示手段（段階）〕
ドア広告募集表示の一例を図４に示す。この図は、一般のネットワークを介してのドア広告の募集表示について、ＰＣ画面で表したものである。
図４のａ）は、「こんな画期的な‥‥」をキャッチフレーズに、「▼思わず、目に入って‥‥」等のメリットを記載し、その後のドア広告の予約につながるリンク機能を兼ね備えた画面構成である。図４のｂ）は、キャッチフレーズとリンク機能を待たせた簡易な画面構成の例である。興味がある場合には、人が介在し、画面右下の「クリック」あるいはアンダーライン部のクリックによってリンクを行い、ドア広告登録画面へ移行する機能を有する。いずれも一例であり、必要に応じて、構成を変更することもできる。
【００２７】
〔ドア広告照会手段（段階）ならびにドア広告登録手段（段階）〕
ドア広告照会手段ならびにドア広告登録手段の処理手順フローチャートを併せて、図５に示す。なお、図中の二重枠は人が介在しての処理であるが、全体の流れを明確にするために記載する。
Ｓ５−１で、本手段の初期設定を行い、Ｓ５−２において、前記〔ドア広告募集表示手段〕のリンクから、ドア広告登録画面を表示させる。
Ｓ５−３において、ドア広告登録画面からのドア広告の要望項目の入力情報を、ドア広告管理システム１に取り込む。入力される項目の一例は、図６に示すように、「どの地域へ？：東京  銀座」、「特定の店舗、ビルの要望は？：要望なし」、「フロアの要望は？：Ｂ１（地下１階）」、「周囲の環境への要望は？：酒類店舗脇」「大きさは？：３ｍ２以内」「期間は？：Ｈ２２．０１〜」「価格体は？：５万円以下」さらには「詳細についての相談希望」等の項目である。
Ｓ５−４において、Ｓ５−３のドア広告管理システム１への取込み情報を基に、受注状況マスタＭ３ならびに店舗オーナーマスタＭ１を検索し、該当する広告ドアを抽出し、Ｓ５−５として広告ドアの空き状況の形態に整列して表示を行う。図７に、ドア広告空き状況の一覧表の画面例を示す。この画面例では、ドア広告の空きがある案件をすべて表示するように設定したものであり、表示内容は、ドア情報と、ドア詳細情報、さらには、月別のドア広告の空きの有無を「○」：空き状態、「×」：空きなし、で示している。
Ｓ５−６として、Ｓ５−５の広告ドア空き状況画面によって、要望と合致する案件があるかの確認を行い、要望と合致する広告ドアが存在する場合には、Ｓ５−９のドア広告登録項目の入力画面へ移行する。
要望に合致する広告ドアがない場合には、Ｓ５−７の要望を変更する、あるいはＳ５−８のドア広告管理会社へ相談するかの判断を行い、Ｓ５−３のドア広告要望項目の変更入力、あるいはＳ５−８のドア広告管理会社への細部相談処理に移行する。
以上のＳ５−１〜Ｓ５−８の処理が、ドア広告照会手段の処理手順である。
【００２８】
続いて、Ｓ６−１において、ドア広告要望に合致、あるいはドア広告管理会社へ相談するとした場合にはドア広告登録項目である、ドア広告空き状況の表示内容に対して「希望する予約ＮＯ：２」、「広告代理店名：●×広告社」、「広告主：    」、「希望に適合か：適合」、さらには、必要に応じ、「詳細打合せ希望か？：なし」を入力し、クリックすることで、Ｓ６−２のドア広告登録を完了する。同時に、ドア広告管理システム１では、これらのドア広告登録内容を、ドア受注マスタＭ２に登録する。
以上のＳ６−１〜Ｓ６−２の処理が、ドア広告登録手段の処理手順である。
ステップＳ５−６からＳ５−８については、マン−マシンコミュニケーション形式で、人が介在しての処理を含むものである。ドア広告管理システム１においては、ステップＳ５−６からＳ５−８において入力された情報、すなわち、図７下部の「ドア広告登録入力」の「希望に適合か：適合」の情報、「詳細打合せ希望か？（通信欄）」へ入力された情報を判別して、Ｓ５−６、Ｓ５−７、Ｓ５−８の処理の選択を行うものとする。
【００２９】
図１１に、受注状況マスタＭ３の一例を判り易いように帳票形式で示す。ドア情報である「店舗オーナー」「店舗・ビル名」「フロア」「ドア名称（区画符号）」の情報をキー項目として、各ドア別のドア広告の受注状況を月別に展開したものであり、ドア広告の受注案件別に、受注ありは記号を埋め込む形式を採用する。空白期間は、ドア広告の受注が可能であることを示す。この受注状況マスタＭ３の更新は、ドア広告の新規受注が入力されたとき、あるいは１日２回定時に更新する等によって、ドア受注マスタＭ２からのデータで受注状況マスタＭ３を更新する。
【００３０】
〔ドア広告還元金演算登録手段（段階）〕
ドア広告のドア広告還元金演算登録手段３ｆの処理手順フローチャートを図８に示す。
Ｓ１０−１で、本手順の初期設定を行い、ドア広告還元金演算の期間等の初期設定を行う。Ｓ１０−２において、ドア受注マスタＭ２から、初期設定のドア広告還元金演算の期間の対象となるドア広告の受注状況のデータ他を取込み、Ｓ１０−３において、店舗オーナー順に整列し、ワークファイル化する。
Ｓ１０−５において、１店舗オーナーの処理が終了するまで、Ｓ１０−６においての１件毎のドア広告受注情報の取込みと、Ｓ１０−７においての店舗オーナーマスタＭ１からの情報に基づき、〔単位期間当り広告料×還元率＝広告還元金〕を演算する。Ｓ１０−６とＳ１０−７の処理を１店舗オーナーにつき、すべての案件が終了するまで行い、終了すると、Ｓ１０−８として１店舗オーナーの合計広告還元金計算、Ｓ１０−９として１店舗オーナーの広告還元金の合計演算を行う。以上の処理を行った後、Ｓ１０−４に戻り、次の店舗オーナーの広告料ならびに広告還元金の演算を行う。
全店舗オーナーの広告料ならびに広告還元金の演算が終了すると、Ｓ１０−１０として、全店舗オーナーの広告料ならびに広告還元金の演算結果の集計を行い、その結果を広告還元金として登録する。この広告還元金の登録データを所定期間の広告料と広告還元金に関する支払いのための資料、あるいは管理資料として利用する。
この全店舗オーナーの広告料ならびに広告還元金の演算結果の集計に基づいて、各店舗オーナーへの広告料還元いわゆる還元額の支払いを行うものである。
【００３１】
以上のドア広告管理システム１により実施したドア広告で、表示等が固定されたドア広告の例を図１２にて説明する。
図１２は、両開きのスイングドア１１に表示等が固定された、いわゆるハードコピーのドア広告１２を掲示した例である。スイングドア１１は、開閉するドア部１１ｂの上下に配置されたドア回転軸１１ａによって自在に回転して開閉する構造であり、ドア部１１ｂの面は、角度は持ちながらも常に通る人から見える状態を保っている。
この開閉するドア部１１ｂに、ドア広告１２を、両開きのドアであることから、両面にそれぞれ１２ａ、１２ｂとして掲示する。このドア広告１２は、通常は固定している状態であるが、ドア開閉時に、ドア回転軸１１ａを軸にして回転するために、ドア広告が動きの有るものとなり、よりＰＲ効果の高いドア広告を実現することができる。
本ドア広告はスイングドア以外のドアにおいても実施できるが、スイングドアにおいてはドア表面に掲示された広告が前後に可動するため、視認性あるいは顕著性が向上し、広告効果の上昇が期待できる。
さらに、広告物にレンチキュラー（lenticular）印刷（シート状のレンチキュラーレンズを用いて、見る角度によって絵柄が変化したり、立体感が得られたりする印刷物のこと）を採用することにより、複数の画像を組み合わせて表示する、コマ送りのアニメーション効果を出す、あるいは、３Ｄ画像を表示することが可能となり、一層の視認性・顕著性を得ることができ、広告効果を高めることが可能となる。
【実施例２】
【００３２】
実施例２として、実施例１の固定広告法方式からフィルムディスプレイを使用した動画広告とした場合の実施例を、以下説明する。
図１３は、広告ドアにフィルムディスプレイを使用して、動画広告を行うための処理手順を示す。
Ｓ８−１で、本手段の初期設定を行い、Ｓ８−２において、ドア受注マスタＭ２の中で、広告表示方法が動画あるいは一部動画と指定された案件の、所定期間に該当するドア広告受注案件のみを抽出し、実施例１の固定広告に相当する動画広告のデジタルコンテンツ（動画配信情報）を登録したドア広告動画配信・表示マスタＭ４との照合を行い、動画配信情報として抽出する。Ｓ８−３では、Ｓ８−２において抽出した動画配信情報を具体的な動画配信データとして加工し、その後のドア広告の表示方式によって、オンラインいわゆるウェブネット等による配信、あるいはオフラインいわゆる外部記憶装置を媒体としての配信とに区分けして、以降の処理を継続する（Ｓ８−４、Ｓ８−５ステップ）。
オンライン配信の場合には、Ｓ８−６ステップにて、対応する広告ドアのフィルムディスプレイの表示方式にあった送信対応のデータ加工処理を行う。
オフライン配信の場合には、Ｓ８−７ステップにおいて、動画表示オフライン対応のデータ加工処理を行い、Ｓ８−８で、対象広告ドア単位にデータの区分と、Ｓ８−９にて、ＳＤメモリ等の外部記憶装置への記憶を行う。
以上の処理を動画広告対象案件すべてに対して実施の後、Ｓ８−１０〜Ｓ８−１２において、各広告ドアへの動画配信・表示を行う。
ここで、Ｓ８−１０〜Ｓ８−１２迄でのステップ（図中の黒太枠部分）の詳細については、特開２００８−１２３４３７号をはじめ、各種のコンテンツ配信方法等が実施されているので、これらの一般的な方法を適宜使用するものである。
【００３３】
つぎに、具体的なフィルムディスプレイを使用した動画広告の例を図１４に示す。
図１４のａ）は、オンライン配信の場合であって、広告ドアの全面を動画広告のスクリーンとしてドア広告を行い、動画広告の表示の制御をインターネット接続によって行う場合の一例を示す。
広告ドア１１に貼付け等により配置されたフィルムディスプレイ１３ａに対して、ドア広告管理システム１のサーバ２に内蔵された動画配信・表示手段３ｇ（Ｓ８−１０〜Ｓ８−１１ステップの処理）によって配信された動画データを広告ドア１１に配設された制御ボックス１３ｃによって受信し、ＲＧＢ接続配線１３ｂを経由してフィルムディスプレイ１３ａに動画表示するものである。フィルムディスプレイは１４ｂ）の図示のように部分的なフィルムディスプレイであってもよい。
図１４のｂ）は、オフライン配信の場合であって、広告ドアの一部を動画広告のスクリーンとして使用し、動画広告の表示の配信をＳＤメモリ等の外部記憶装置によって行う場合の一例を示す。
図１３のＳ８−９において作成されたオフライン動画データファイルＦ２を収納したＳＤメモリ等の外部記憶装置を、外部記憶装置の読取機能を備えたオフライン制御ボックス１３ｄに読取、記憶させ、このオフライン制御ボックス１３ｄによる制御のもと、ＲＧＢ接続配線１３ｂを経由してフィルムディスプレイ１３ａに動画表示するものである。
【００３４】
フィルムディスプレイ１３ａに動画広告を行う実施例の応用として、広告ドアに非停電電源を持ち、火災報知システムとの連動を行うことにより、例えば、火災発生時に、動画広告を一時停止して「避難誘導路の方向」等の表示を行うことによって、避難誘導対応が可能なドア広告管理システムとして新たな機能を拡充することができる。
【００３５】
以上に説明するドア広告管理方法及びドア広告管理システムによって、ドア広告にかかわる三者、すなわち、ドアの所有者・管理者たる店舗オーナー、広告主及び広告代理店、並びに、ドアを製造・販売する事業者及びドア広告を管理する事業者が、正に三方徳の関係で、等しく利益を享受することができるドア広告管理方法及びドア広告管理システムを実現できる。
【符号の説明】
【００３６】
１  ドア広告管理システム
２  ドア広告管理サーバ
３  制御手段
３ａ  広告ドア登録手段
３ｂ  広告募集表示手段
３ｃ  ドア広告照会手段
３ｄ  ドア広告登録手段
３ｅ  広告料徴収登録手段
３ｆ  広告還元金演算登録手段
３ｇ  動画配信・表示手段
４  データベース
Ｍ１  店舗オーナーマスタ
Ｍ２  ドア受注マスタ
Ｍ３  受注状況マスタ
Ｍ４  動画配信・表示マスタ
５  ドア広告管理会社
６  ドア製造・販売会社
７  店舗オーナー
８  広告主
９  広告代理店
１０  ドア広告作成手段
１１  スイングドア
１１a  ドア回転軸
１１b  開閉するドア部
１２  ドア広告（掲示物）
１２a  ドア広告（左扉）
１２b  ドア広告（右扉）
１３  動画広告表示部
１３ａ  フィルムディスプレイ
１３ｂ  ＲＧＢ接続配線
１３ｃ  制御ボックス
１３ｄ  オフライン制御ボックス
１３ｅ  通信制御手段
Ａ、Ａ’  広告ドアの設置、広告ドアへのリプレース
Ｂ  広告スペースの利用許諾契約
Ｃ、Ｃ’  広告主の募集依頼
Ｄ、Ｄ’  広告作成依頼
Ｅ  広告手数料
Ｆ  広告契約
Ｇ、Ｇ’  広告料
Ｆ２  オフライン動画データファイル
【図１】
2011133931.tif 000003
【図２】
2011133931.tif 000004
【図３】
2011133931.tif 000005
【図４】
2011133931.tif 000006
【図５】
2011133931.tif 000007
【図６】
2011133931.tif 000008
【図７】
2011133931.tif 000009
【図８】
2011133931.tif 000010
【図９】
2011133931.tif 000011
【図１０】
2011133931.tif 000012
【図１１】
2011133931.tif 000013
【図１２】
2011133931.tif 000014
【図１３】
2011133931.tif 000015
【図１４】
2011133931.tif 000016